(57)【特許請求の範囲】
【請求項１】
医用画像の画像データが保管されたサーバと、タッチ入力が可能なモニタ上で前記サーバ側のソフトウェアに基づいて前記医用画像の表示を行う通信モードおよび前記サーバとは独立した表示を前記モニタ上で行う端末固有モードを切り換え可能なクライアント端末とを具備した医用画像通信処理システムであって、
前記クライアント端末は、
前記モニタ上の画像表示領域情報を前記サーバに送信する端末情報送信部と、
前記通信モードでの表示内容を規定する画面情報を前記サーバから受信すると共に前記画面情報に基づいて前記通信モードでの表示を前記モニタで行う受信情報表示部とを備え、
前記サーバは、
前記モニタへのタッチ入力操作に関わる表示要素の配置および前記医用画像の表示領域の配置を前記画像表示領域情報に応じて決定することで前記画面情報を生成する画面情報生成部と、
前記画面情報生成部により生成された前記画面情報を前記クライアント端末に送信する画面情報送信部とを備えていることを特徴とする医用画像通信処理システム。
【請求項２】
請求項１記載の医用画像通信処理システムにおいて、
前記サーバは、前記モニタへのタッチ入力操作に関わる表示要素が前記端末固有モードにおける前記モニタ上の画像表示領域に重ならないように前記画面情報を生成することを特徴とする医用画像通信処理システム。
【請求項３】
請求項２記載の医用画像通信処理システムにおいて、
前記端末情報送信部は、入力方式に関する情報を前記サーバに送信し、
前記画面情報生成部は、前記クライアント端末の入力方式がタッチパネル式か否かを前記入力方式に関する情報に基づいて判定し、タッチパネル式であると判定した場合、前記タッチ入力操作に関わる表示要素が前記端末固有モードにおける前記モニタ上の画像表示領域に重ならないように前記画面情報を生成することを特徴とする医用画像通信処理システム。
【請求項４】
請求項２記載の医用画像通信処理システムにおいて、
前記端末情報送信部は、前記端末固有モードにおける前記モニタ上の画像表示領域の座標的情報を前記画像表示領域情報に含めることを特徴とする医用画像通信処理システム。
【請求項５】
請求項２記載の医用画像通信処理システムにおいて、
前記画面情報生成部は、前記クライアント端末に対する入力操作に応じて表示されるダイアログまたはソフトウェアキーボードの少なくともいずれかの表示領域が前記端末固有モードにおける前記モニタ上の画像表示領域に重ならないように、前記画面情報を生成することを特徴とする医用画像通信処理システム。
【請求項６】
タッチ入力が可能なモニタ上でサーバ側のソフトウェアに基づいて医用画像の表示を行う通信モードと、前記サーバ側のソフトウェアとは独立した表示を前記モニタ上で行う端末固有モードとをクライアント端末が有する医用画像通信処理システムのサーバであって、
前記モニタ上の画像表示領域情報を前記クライアント端末から取得する取得部と、
前記モニタへのタッチ入力操作に関わる表示要素の配置および前記医用画像の表示領域の配置を前記画像表示領域情報に応じて決定することで、前記通信モードにおける前記クライアント端末の前記モニタ上の表示内容を規定する画面情報を生成する画面情報生成部と、
前記画面情報生成部により生成された前記画面情報を前記クライアント端末に送信する画面情報送信部と
を備えていることを特徴とする医用画像通信処理システムのサーバ。
【請求項７】
請求項６記載の医用画像通信処理システムのサーバにおいて、
前記画面情報生成部は、前記モニタへのタッチ入力操作に関わる表示要素が前記端末固有モードにおける前記モニタ上の画像表示領域に重ならないように前記画面情報を生成することを特徴とする医用画像通信処理システムのサーバ。
【請求項８】
請求項７記載の医用画像通信処理システムのサーバにおいて、
前記画面情報生成部は、前記クライアント端末に対する入力操作に応じて表示されるダイアログまたはソフトウェアキーボードの少なくともいずれかの表示領域が前記端末固有モードにおける前記モニタ上の画像表示領域に重ならないように、前記画面情報を生成することを特徴とする医用画像通信処理システムのサーバ。
【発明の詳細な説明】
【技術分野】
【０００１】
本発明の実施形態は、医用画像通信処理システムおよび医用画像通信処理システムのサーバに関する。
【背景技術】
【０００２】
近年、超音波診断装置の小型化が進んでいる。特に、ノート型パーソナルコンピュータのように小型かつ軽量のモバイル超音波診断装置（ＨＣＵ：Ｈａｎｄ−Ｃａｒｒｉｅｄ  Ｕｌｔｒａｓｏｕｎｄ）が普及しつつある。このようなモバイル超音波診断装置の高機動性を利用して、これを様々な場所に移動して診断に使用することがある。その場合、モバイル超音波診断装置内に保存された医用画像だけではなく、画像サーバの医用画像が用いられることがある。
【０００３】
具体例として、医師は、モバイル超音波診断装置を診察室に持ち込み、マルティモダリティサーバ（複数の画像診断装置で得られた画像データのファイルを保管する画像サーバ）にリモート接続し、必要な医用画像を受信する。そして、医師は、受信した画像をモバイル超音波診断装置上で表示しながら診断を行う。或いは、手術室において、マルティモダリティサーバに保管された医用画像を受信してモバイル超音波診断装置上で表示させ、これを参照しながら手術計画を立てるようなケースもある。
【０００４】
上記のようにサーバからモバイル超音波診断装置に医用画像の画像データを提供する医用画像通信処理システムとしては、例えば、シンクライアントシステムが用いられる。シンクライアントシステムとは、ユーザが使用するクライアント端末には必要最小限の処理をさせ、殆どの処理をサーバ側に集中させた通信システムである（例えば、特許文献１参照）。
【先行技術文献】
【特許文献】
【０００５】
【特許文献１】特開２００８−７７４１３号公報
【発明の概要】
【発明が解決しようとする課題】
【０００６】
モバイル超音波診断装置では、装置の小型化と操作の簡便さを実現するため、入力デバイスとしてキーボードやマウスを搭載しない装置がある。この場合、キーボードやマウスの代わりに、タッチパネル（タッチコマンドスクリーン）を採用し、全ての入力を画面へのタッチ操作で実現する。しかし、このようなモバイル超音波診断装置では、タッチ操作による指紋等のモニタの汚れによって、モニタに表示される診断画像が見づらくなることがあった。
【０００７】
そこで本発明の一実施形態は、医用画像通信処理システムにおいて、クライアント端末のモニタへのタッチ入力による汚れによって表示画像が見づらくなることを防止するための技術の提供を目的とする。
【課題を解決するための手段】
【０００８】
本発明の一実施形態では、医用画像通信処理システムは、医用画像の画像データが保管されたサーバと、タッチ入力が可能なモニタ上でサーバ側のソフトウェアに基づいて医用画像の表示を行う通信モードおよびサーバとは独立した表示をモニタ上で行う端末固有モードを切り換え可能なクライアント端末とを具備するものである。この構成において、上記クライアント端末は、モニタ上の画像表示領域情報をサーバに送信する端末情報送信部と、通信モードでの表示内容を規定する画面情報をサーバから受信すると共に画面情報に基づいて通信モードでの表示をモニタで行う受信情報表示部とを備える。この構成において、上記サーバは、モニタへのタッチ入力操作に関わる表示要素の配置および医用画像の表示領域の配置を上記画像表示領域情報に応じて決定することで上記画面情報を生成する画面情報生成部と、画面情報生成部により生成された画面情報をクライアント端末に送信する画面情報送信部とを備える。
【０００９】
本発明の一実施形態では、医用画像通信処理システムのサーバは、タッチ入力が可能なモニタ上でサーバ側のソフトウェアに基づいて医用画像の表示を行う通信モードと、前記サーバ側のソフトウェアとは独立した表示を前記モニタ上で行う端末固有モードとをクライアント端末が有する医用画像通信処理システムのサーバである。この構成において、医用画像通信処理システムのサーバは、取得部と、画面情報生成部と、画面情報送信部とを備える。上記取得部は、モニタ上の画像表示領域情報をクライアント端末から取得する。上記画面情報生成部は、モニタへのタッチ入力操作に関わる表示要素の配置および医用画像の表示領域の配置を画像表示領域情報に応じて決定することで、通信モードにおけるクライアント端末のモニタ上の表示内容を規定する画面情報を生成する。画面情報送信部は、画面情報生成部により生成された画面情報をクライアント端末に送信する。
【図面の簡単な説明】
【００１０】
【図１】タッチパネル式のモバイル超音波診断装置にインストールされたソフトウェアに従った画面構成の一従来例を示す模式図。
【図２】シンクライアントシステムのソフトウェアを起動した場合における、タッチパネル式のモバイル超音波診断装置の画面構成の一従来例を示す模式図。
【図３】シンクライアントモードで使用時にタッチ入力をした後、端末固有モードで表示した場合における、タッチパネル式のモバイル超音波診断装置の画面の汚れ方を示す模式図。
【図４】本実施形態のシンクライアントシステムの構成を示す機能ブロック図。
【図５】端末固有モードにおける、モバイル超音波診断装置の画面構成の一例を示す模式図。
【図６】シンクライアントモードにおいて、モバイル超音波診断装置の端末固有モードにおける画像表示領域を加味せずに画面構成をした一例を示す模式図。
【図７】図６のシンクライアントモードの画面において、ダイアログが表示される場合の画面構成の一例を示す模式図。
【図８】シンクライアントモードにおいて、モバイル超音波診断装置の端末固有モードの画像表示領域の外に入力操作用の要素が配置されるように画面構成をした一例を示す模式図。
【図９】図８のシンクライアントモードの画面において、ダイアログが表示される場合の画面構成の一例を示す模式図。
【図１０】本実施形態のシンクライアントシステムの動作の第１の例を示すフローチャート。
【図１１】本実施形態のシンクライアントシステムの動作の第２の例を示すフローチャート。
【発明を実施するための形態】
【００１１】
（従来課題の原因解析）
以下、本発明の実施形態に先立って、本発明者が行った従来課題の原因解析について説明する。
【００１２】
図１、図２、図３は、シンクライアントシステムのクライアント端末としてのタッチパネル式のモバイル超音波診断装置の画面構成の従来例を示す模式図である。
【００１３】
図１は、シンクライアントシステムのソフトウェアを使用しない場合（以下、端末固有モードという）の画面構成の一例を示す。即ち、端末固有モードとは、モバイル超音波診断装置にインストールされたオペレーティングシステムおよびソフトウェアに従って、画面表示が行われるモードである。この場合、モバイル超音波診断装置にインストールされた固有のソフトウェアに従って、モニタ２上において、画像表示領域４ａと操作ボタン表示領域６ａとが決定され、画面表示が行われる。図１の例では、画像のおよそ右上側に寄せて画像表示領域４ａが配置され（図中の太線の四角い枠内に対応）、画像表示領域４ａの外側に操作ボタン表示領域６ａが配置される。
【００１４】
図２は、モバイル超音波診断装置においてシンクライアントシステムのソフトウェアが起動されている場合（以下、シンクライアントモードという）における、画面構成の一従来例を示す模式図である。この場合、モバイル超音波診断装置とサーバとの間で通信が行われ、モバイル超音波診断装置のモニタ２上では、シンクライアントシステムのソフトウェアに従って画像表示領域４ｂと操作ボタン表示領域６ｂとが決定され、画面表示が行われる。この例では、画像のおよそ左上側に寄せて画像表示領域４ｂが配置され（図中の太線の四角い枠内に対応）、画像表示領域４ｂの外側に操作ボタン表示領域６ｂが配置される。
【００１５】
図２の画面構成では、画面右側の操作ボタンに対するタッチ入力（図中の右側３箇所の手のマーク１０に対応）によって、モニタ２におけるその部分に指紋等の汚れが付着しうる。しかし、シンクライアントモードにおける画面右側の操作ボタン表示領域６ｂは、端末固有モードでは画像表示領域４ａとなるため、モニタ２における画像表示領域４ａの部分に汚れがつくことになる（後述の図３参照）。
【００１６】
即ち、モバイル超音波診断装置の固有の画面構成と、従来のサーバ側から起動されるシンクライアントシステムのソフトウェアによる画面構成とは、一致しない。両者の画像表示領域４ａ、４ｂの相違、および、操作ボタン表示領域６ａ、６ｂの相違によって、シンクライアントモードで使用中に、端末固有モードにおける画像表示領域４ａにタッチ入力がなされることがある。
【００１７】
さらに、図２に示すように、従来のシンクライアントモードでは、操作ダイアログ１４の表示領域は、端末固有モードにおける画像表示領域４ａを考慮せずに配置される。このため、シンクライアントモードにおける操作ダイアログ１４に対するタッチ入力によっても、端末固有モードにおける画像表示領域４ａに汚れが付着しうる。
【００１８】
図３は、従来のシンクライアントモードで使用時にタッチ入力を行った後、端末固有モードに切り替えた場合における画面の汚れ方の一例を示す模式図である。図３における５箇所の指紋の汚れ１６はそれぞれ、図２における５箇所のマーク１０と同位置である。このように、シンクライアントモードで使用中に、端末固有モードにおける画像表示領域４ａにタッチ入力がなされると、端末固有モードに戻した場合、画像表示領域４ａに指紋等の汚れ１６が付着しており、表示画像が見づらくなる。
【００１９】
以上の点に着眼した本発明者は、クライアント端末の入力デバイス接続状況および画面表示領域情報に応じて、クライアント端末に表示する画面構成をサーバ側で適切に組み変え、モニタへのタッチ入力に関わる要素をクライアント端末固有の画像表示領域の外に配置させる構成を捻出した。これにより、クライアント端末のモニタへのタッチ入力による汚れによって表示画像が見づらくなることを防止しうる。
【００２０】
以下、図面に基づいて、上記着眼点に基づく本発明の実施形態を説明する。なお、各図において同一要素には同一符号を付し、重複する説明を省略する。
【００２１】
（本実施形態の構成）
図４は、本実施形態のシンクライアントシステム３０の構成を示す機能ブロック図である。シンクライアントシステム３０は、そのクライアント端末としてのモバイル超音波診断装置４０と、サーバ６０とを有する。なお、図４では煩雑となるので、１つのモバイル超音波診断装置４０のみを示した。しかし、実際には例えば、複数のモバイル超音波診断装置やその他のモダリティが、シンクライアントシステム３０におけるクライアント端末としてサーバ６０に接続される構成としてもよい。
【００２２】
ここでのシンクライアントシステムとは、ユーザが使用するクライアント端末における処理の多くがサーバ側で制御され、クライアント端末には必要最小限の処理を行わせることで、殆どの処理をサーバ側に集中させた通信システムをいう。また、ここでのシンクライアントシステムのサーバは、クライアント端末に提供する医用画像などの画像データを保管すると共に、少なくとも画像処理を行うものを指す。即ち、サーバは、クライアント端末からの参照要求に対応する画像データを検索し、必要に応じて画像の切り出し、輝度調整、回転、階調調節などの画像処理を行ってから当該画像データをクライアント端末に提供する。
【００２３】
また、本実施形態では、医用画像通信処理システムの一例として、シンクライアントシステム３０について説明するが、以下に述べる本実施形態の技術思想は、シンクライアントシステム以外の画像通信処理システムにも適用可能である。
【００２４】
図４に示すように、モバイル超音波診断装置４０は、ＣＰＵ（Ｃｅｎｔｒａｌ  Ｐｒｏｃｅｓｓｏｒ  Ｕｎｉｔ）４１と、システムバス４２と、リモート接続部４３と、操作受付部４４と、表示制御部４５と、モニタ４６と、記憶部４７と、超音波診断機構４８とを備える。
【００２５】
ＣＰＵ４１は、システムバス４２を介してモバイル超音波診断装置４０全体のシステム制御を行う。超音波診断機構４８は、超音波を発生させると共に反射した超音波を受信するプローブと、受信データ処理部とを有する（図示せず）。超音波診断機構４８は、プローブを検査の対象物に当て超音波を発生させ、プローブでその反射音波を測定し、反射音が返ってくるまでの時間等に基づいて内部の様子を画像化する。
【００２６】
操作受付部４４は、接続型入力デバイス等のユーザインタフェース（図示せず）に対するユーザの操作を介して、リモート接続の指示を受け付ける。ここでのリモート接続は、サーバ６０に接続して、サーバ６０内に保管された画像データを取得し、画像として表示させるための処理である。リモート接続は、例えば電波による無線通信の遠隔接続であってもよいし、ネットワークケーブルを介した有線の接続形式であってもよい。
【００２７】
リモート接続部４３は、サーバ６０に対して接続要求を送信する。その際、モバイル超音波診断装置４０固有の端末情報、即ち、クライアント端末の情報を併せて送信する。クライアント端末の情報の詳細については、後述の図１０のステップＳ１において述べる。また、リモート接続部４３は、サーバ６０から送信されるシンクライアントシステム３０のソフトウェアに基づく画面情報や画像データ等を取得して、これを記憶部４７に格納する。
【００２８】
シンクライアントモードでは、表示制御部４５は、ＣＰＵ４１の制御に従って、サーバ６０から送信される画面情報に基づいてモニタ４６で画面表示を行う。端末固有モードでは、表示制御部４５は、ＣＰＵ４１の制御に従って、モバイル超音波診断装置４０固有の画面表示をモニタ４６で行う。
【００２９】
図４に示すように、サーバ６０は、ＣＰＵ６１と、システムバス６２と、表示部６３と、画像データ保管部６４と、画像検索読込部６５と、画面情報生成部６６と、情報送信部６７と、リモート接続受付部６８と、入力装置６９とを備える。
【００３０】
ＣＰＵ６１は、システムバス６２を介してサーバ６０およびシンクライアントシステム３０全体のシステム制御を行う。
【００３１】
画像データ保管部６４は、多数のモダリティで撮像および生成された医用画像の画像データのファイルを検索可能に保管している。これらの保管ファイルについては、入力装置６９を介して追加、削除、上書き等の書き換えが可能である。このとき、表示部６３は、入力内容を表示する。
【００３２】
リモート接続受付部６８は、クライアント端末（図４の例ではモバイル超音波診断装置４０）からの接続要求を受信し、接続を受け付ける。このとき、リモート接続受付部６８は、モバイル超音波診断装置４０のリモート接続部４３から送信されるクライアント端末の情報を取得および保持する。
【００３３】
画像検索読込部６５は、クライアント端末からの送信要求に対応する画像データを画像データ保管部６４から検索して読み込み、これを保持する。
【００３４】
画面情報生成部６６は、リモート接続受付部６８からクライアント側の情報を取得し、この情報に基づいて画面構成を決定する。具体的には、クライアント端末の入力デバイスが「タッチパネル」であった場合、画面情報生成部６６は、組み換え表示モードの画面構成を決定し、それ以外の場合、通常表示モードの画面構成を決定する。
【００３５】
組み換え表示モードでは、画面情報生成部６６は、操作ボタンなどの入力操作に関わる表示要素がモバイル超音波診断装置４０の端末固有モードにおけるモニタ４６上の画像表示領域の外に配置されるように、画面構成を決定する。この画面構成の決定方法については、後述の図８を用いて詳細に説明する。一方、通常表示モードでは、画面情報生成部６６は、モバイル超音波診断装置４０の端末固有モードにおけるモニタ４６上の画像表示領域とは関係なく、シンクライアントシステム３０のソフトウェア従って画面構成を決定する。即ち、モバイル超音波診断装置４０は、画面表示の制御系統の点から端末固有モードとシンクライアントモードとを有するが、このシンクライアントモードは、表示形態の点から通常表示モードと、組み換え表示モードとに分かれる。
【００３６】
情報送信部６７は、画面情報生成部６６によって決定された画面構成の情報等をクライアント端末（モバイル超音波診断装置４０）に送信する。
【００３７】
図５は、端末固有モードにおける、モバイル超音波診断装置４０の画面構成の一例を示す模式図である。この場合、モバイル超音波診断装置４０にインストールされた固有のソフトウェアに従って、モニタ４６上で画面表示が行われる。図５に示すように、モニタ４６上には、画像表示領域９８と、操作ボタン群９９、１００とが表示される。ここでは一例として、モニタ４６の表示画面は、水平方向（図５の各操作ボタン１０１〜１１４の文字列の方向）であるＸ軸方向に８００の画素を有すると共に、これに直交する垂直方向であるＹ軸方向に６００の画素を有する長方形であるものとする。そして、図５に示すように、長方形の画面の左上をＸ、Ｙ座標系の原点とし、Ｘ軸正方向を水平方向右側に、Ｙ軸正方向を垂直方向下側にとって、各画素の位置を２次元座標で表す。
【００３８】
ここでは一例として、画像表示領域９８は、座標（２００、３０）、（８００、３０）、（８００、４５０）、（２００、４５０）の４点を頂点とする長方形部分である。そして、画像表示領域９８の外側に操作ボタン群９９、１００が配置される。即ち、操作ボタン群９９、１００の表示領域と、画像表示領域９８とを分けて画面を構成し、画像表示領域９８へのタッチ操作が発生しないようにする（後述の図６〜図９についても同様）。
【００３９】
操作ボタン群９９は、操作ボタン１０１〜１１４を有する。操作ボタン１０１は、焦点位置の調整用である。操作ボタン１０２は、送信周波数の調整用である。操作ボタン１０３は、ゲインの調整用である。操作ボタン１０４は次の画像を表示させるものであり、操作ボタン１０５は前の画像を表示させるものである。操作ボタン１０６は、操作ボタン１０１〜１１４に代わって、別の操作ボタン（図示せず）を表示させるものである。即ち、図５の操作ボタン１０６は、一例として「１／７」という表示状態になっているが、これは、メニューが７つある操作ボタン群９９の内、現在は１番目のメニューとして操作ボタン１０１〜１１４が表示されていることを示す。
【００４０】
操作ボタン１０７は、表示中の診断画像の撮影部位がどこかを、画像表示領域９８の角の領域に重畳表示させるものである。操作ボタン１０８は、超音波診断画像内への文字の入力用である。操作ボタン１０９は２点間の距離の測定用であり、操作ボタン１１０は２点間の曲線的な距離の測定用であり、操作ボタン１１１は２点間の直線距離の測定用である。操作ボタン１１２は、診断画像の表示を消して、メンテナンス用のサービス画面を画面全体に亘って表示させるものである。操作ボタン１１３は、入力用のソフトウェアキーボードをダイアログ表示するものである。操作ボタン１１４は、超音波診断機構４８（図４参照）による超音波診断の開始を指令するものである。
【００４１】
操作ボタン群１００は、操作ボタン１１５〜１２２を有する。操作ボタン１１５は、ＭモードとＢモードとを相関表示するものである。操作ボタン１１６は、Ｍモードの表示に切り替えるものである。操作ボタン１１７は、パルスドップラーモードの表示に切り替えるものである。操作ボタン１１８は、パワードップラーモードの表示に切り替えるものである。操作ボタン１１９は、カラードップラーモードの表示に切り替えるものである。操作ボタン１２０は、比較用に２画像の並列表示にするものである。操作ボタン１２１は、Ｂモードの表示に切り替えるものである。操作ボタン１２２は、動画を保存するものである。
【００４２】
図６は、シンクライアントモードにおいて、モバイル超音波診断装置４０の端末固有モードにおける画像表示領域９８を加味せずに画面構成をした場合の一例を示す模式図である。即ち、図６は、シンクライアントモードにおける通常表示モードに対応する。この場合、サーバ６０から提供されるシンクライアントシステム３０のソフトウェアに従って、画面表示が行われる。図６に示すように、モニタ４６上には、画像表示領域１４８ａと、操作ボタン群１５０と、表示窓１７０とが表示される。ここでは一例として、画像表示領域１４８ａは、座標（０、５０）、（６００、５０）、（６００、４７０）、（０、４７０）の４点を頂点とする長方形部分である。即ち、図６に示す画像表示領域１４８ａは、図５に示す画面右側に寄せた画像表示領域９８とは異なり、画面左側に寄っている。そして、画像表示領域１４８ａの外側に操作ボタン群１５０が配置される。
【００４３】
操作ボタン群１５０は、操作ボタン１５１〜１６４を有する。操作ボタン１５１は、シンクロ率の調整用である。操作ボタン１５２は、色相の数の設定用である。操作ボタン１５３は、画像表示領域１４８ａにおけるグラフ（図６の例では画像表示領域１４８ａの左側に配置されている折れ線グラフ）のサイズを拡大するものである。操作ボタン１５４は、画像表示領域１４８ａにおけるグラフのサイズを縮小するものである。
【００４４】
操作ボタン１５５は、画像表示領域１４８ａに動画表示される診断画像の再生速度の調整用である。操作ボタン１５６は、診断画像の動画再生を開始させるものである。操作ボタン１５７は、診断画像の動画再生を停止させるものである。操作ボタン１５８は、動画表示される診断画像を早送りするものである。操作ボタン１５９は、動画表示される診断画像を早戻しするものである。
【００４５】
操作ボタン１６０は、順番的に前の診断画像を表示させるものであり、操作ボタン１６１は、順番的に次の診断画像を表示させるものである。これら操作ボタン１６０、１６１の間の表示窓１７０は、診断画像が全部で何枚あり、その内の何番目の診断画像が画像表示領域１４８ａに表示されているかを示す（この例では１０枚中の１番目）。
【００４６】
操作ボタン１６２は、入力用のソフトウェアキーボードをダイアログ表示するものである。操作ボタン１６３は、印刷用のダイアログを表示するものである。操作ボタン１６４は、本実施形態の特徴の１つであり、組み替え表示モード、または、通常表示モードに画面表示を切り替えるものである。
【００４７】
図７は、図６のシンクライアントモードにおける通常表示モードの画面において、ダイアログが表示される場合の画面構成の一例を示す模式図である。ここでは一例として、図６において操作ボタン１６４が押され、印刷用のダイアログ１８０が表示される場合を示す。
【００４８】
操作ボタン１８１は、印刷用のフィルムのサイズを指定するものである。操作ボタン１８２は、印刷媒体を指定するものである。操作ボタン１８３は、印刷部数を指定するものである。操作ボタン１８４は、このダイアログ１８０を画面から消し、印刷をキャンセルするものである。操作ボタン１８５は、印刷の条件の確定および印刷開始を指令するものである。操作ボタン１８６は、印刷条件の詳細を決定するための別のダイアログを表示させるものである。操作ボタン１８７は、印刷条件を初期値に設定するものである。
【００４９】
図７に示すように、本実施形態では一例として、なるべく画像表示領域１４８ａを避けて、画面の角の領域において、縮小せずにダイアログ１８０を表示する。これは、縮小によってダイアログ１８０内の文字が読みづらくなることを避けるためである。但し、その場合、図７に示すように、ダイアログ１８０の一部が画像表示領域１４８ａの一部に若干重なることがある。従って、ダイアログ１８０を縮小することで、画面から画面表示領域１４８を除いた領域（余白の領域）の幅と、ダイアログ１８０の幅とを合致させて、ダイアログ１８０が画像表示領域１４８ａに重ならないようにしてもよい。
【００５０】
図８は、シンクライアントモードにおいて、モバイル超音波診断装置４０の端末固有モードの画像表示領域９８の外に入力操作に関わる要素が配置されるように、画面構成をした一例を示す模式図である。即ち、図８は、シンクライアントモードにおける組み換え表示モードに対応する。図８の一例では、画像表示領域１４８ｂは、モニタ４６上において、図５に示す端末固有モードの画像表示領域９８とはサイズおよび座標位置が合致する。
【００５１】
図８に示すように、画像表示領域１４８ｂへのタッチ操作が極力発生しないように、画像表示領域１４８ｂと、操作ボタン群１５０の表示領域とを分けて画面を構成する。この例では、画像表示領域１４８ｂがモニタ４６の画面右側に寄せて配置されているので、操作ボタン群１５０をモニタ４６の画面左側に寄せて配置している。
【００５２】
図９は、図８のシンクライアントモードにおける組み換え表示モードの画面において、ダイアログが表示される場合の画面構成の一例を示す模式図である。ここでは一例として、図８において操作ボタン１６４が押され、印刷用のダイアログ１８０が表示される場合を示す。図９の場合、画像表示領域１４８ｂを避けた画面の角の領域において、縮小せずにダイアログ１８０を表示する。この例では、ダイアログ１８０を縮小しなくとも画像表示領域１４８ｂにダイアログ１８０は重ならない。但し、ダイアログの幅が大きいために画像表示領域１４８ｂにダイアログが重なる場合、前述のようにダイアログ１８０を縮小することで、両者が重ならないようにしてもよい。
【００５３】
（本実施形態の動作説明）
図１０は、本実施形態のシンクライアントシステム３０の動作の第１の例を示すフローチャートである。以下、図１０に示すステップ番号に従って、前述の図４〜図９を適宜参照しながらシンクライアントシステム３０の動作を説明する。
【００５４】
［ステップＳ１］モバイル超音波診断装置４０（図４参照）は、リモート接続前では端末固有モードに設定されており、表示制御部４５は、ＣＰＵ４１の制御に従ってモバイル超音波診断装置４０固有の画面表示をモニタ４６で行っている。
【００５５】
この後、モバイル超音波診断装置４０のユーザインタフェース（図示せず）に対する操作を介してリモート接続の要求があると、操作受付部４４は、リモート接続の指示を受け付ける。リモート接続部４３は、サーバ６０のリモート接続受付部６８に対して接続要求を送信する。その際、リモート接続部４３は、モバイル超音波診断装置４０固有の情報、即ち、クライアント端末の情報を併せて送信する。
【００５６】
ここでの「クライアント端末の情報」は、モバイル超音波診断装置４０に接続された入力デバイスの情報と、モバイル超音波診断装置４０のモニタ４６上における画像表示領域に関する位置情報とを少なくとも含む。入力デバイスとは、例えば、キーボード、マウス、タッチパネル、フットスイッチ等である。画像表示領域に関する位置情報とは、例えば、モニタ４６の垂直方向および水平方向の全画素数の情報と、モニタ４６上の全画素を２次元座標で表した場合における、端末固有モードにおける画像表示領域９８の各頂点の座標情報である（図５参照）。この後、ステップＳ２に進む。
【００５７】
［ステップＳ２］サーバ６０のリモート接続受付部６８は、モバイル超音波診断装置４０からの接続要求を受信し、接続を受け付ける。具体的には、リモート接続受付部６８は、リモート接続部４３から送信されたクライアント端末の情報を保持すると共に、これをＣＰＵ６１および画面情報生成部６６に伝達する。この後、ステップＳ３に進む。
【００５８】
［ステップＳ３］モバイル超音波診断装置４０の操作受付部４４は、ユーザインタフェースに対する操作に基づいて、対応する医用画像の送信要求をサーバ６０のリモート接続受付部６８に送信する。リモート接続受付部６８は、送信要求の内容を画像検索読込部６５に伝達する。画像検索読込部６５は、送信要求に対応する画像データを画像データ保管部６４から検索して読み込み、これを保持する。この後、ステップＳ４に進む。
【００５９】
［ステップＳ４］サーバ６０のＣＰＵ６１は、クライアント端末の情報に含まれる入力デバイスの情報に基づいて、当該クライアント端末がタッチパネル式であるか否かを判定する。クライアント端末がタッチパネル式である場合、ＣＰＵ６１はステップＳ８に処理を移行し、それ以外の場合、ＣＰＵ６１はステップＳ５に処理を移行する。
【００６０】
なお、図４の例では、クライアント端末がモバイル超音波診断装置４０のみであるため、ステップＳ８に進むが、タッチパネル式ではないクライアント端末（図示せず）がシンクライアントシステム３０のサーバ６０にリモート接続される場合には、ステップＳ５に進むことになる。
【００６１】
［ステップＳ５］ＣＰＵ６１は、通常表示モードとして、サーバ６０に格納されているシンクライアントシステム３０のソフトウェアに従った画面構成を画面情報生成部６６に指令する。画面情報生成部６６は、送信要求に対応する画像データを画像検索読込部６５から取得する。画面情報生成部６６は、この画像データと、シンクライアントシステム３０のソフトウェアに基づいて、通常表示モードの画面構成を決定し、その画面構成データを生成する（図６、図７参照）。
【００６２】
また、画面情報生成部６６は、ステップＳ２で取得した「クライアント端末の情報」における入力デバイスの情報にキーボードが含まれない場合、操作ボタン群１５０の中にソフトウェアキーボード起動用の操作ボタン１６２を配置する。これにより、ユーザによるキー入力を支援する（図６、図７参照）。この後、ステップＳ６に進む。
【００６３】
［ステップＳ６］画面情報生成部６６は、送信要求に対応する画像データや、ステップＳ５で生成した通常表示モードの画面構成データ等を情報送信部６７に伝達し、情報送信部６７は、これらの伝達された情報をモバイル超音波診断装置４０のリモート接続部４３に送信する。この後、ステップＳ７に進む。
【００６４】
［ステップＳ７］リモート接続部４３は、サーバ６０の情報送信部６７から送信される画像データや画面構成データ等を取得して、これを記憶部４７に格納する。そして、表示制御部４５は、ＣＰＵ４１の制御に従って、記憶部４７に格納された画像データや画面構成データ等を取得し、シンクライアントモードにおける通常表示モードでの画面表示をモニタ４６で行う。この場合の画面表示例は、図６、図７を用いて説明した通りである。
【００６５】
［ステップＳ８］サーバ６０のＣＰＵ６１は、組み換え表示モードとしての画面構成を画面情報生成部６６に指令する。画面情報生成部６６は、送信要求に対応する画像データを画像検索読込部６５から取得する。画面情報生成部６６は、この画像データと、ステップＳ２で取得したモバイル超音波診断装置４０の端末固有モードの画像表示領域９８の位置情報とに基づいて、組み換え表示モードの画面構成を決定し、その画面構成データを生成する。
【００６６】
具体的には、入力操作に関わる要素（例えば操作ボタン群１５０）は、モニタ４６における端末固有モードの画像表示領域９８（図５参照）の外に配置される（図８参照）。具体的には例えば、画像表示領域９８が画面右側に寄っていれば、操作ボタン群１５０を例えば画面左側に配置し、画像表示領域９８が画面上側に寄っていれば、操作ボタン群１５０を例えば画面下側に配置すればよい。ダイアログ１８０の表示位置についても、前述の通り、画像表示領域１４８ｂを避けて、例えば画面の角の領域にする（図９参照）。
【００６７】
本実施形態では一例として、組み換え表示モードの画像表示領域１４８ｂは、例えば、端末固有モードの画像表示領域９８とは大きさおよび座標位置を合致させる。なお、組み換え表示モードの画像表示領域１４８ｂは、端末固有モードの画像表示領域９８と中心位置をおよそ合致させて、その大きさを画像表示領域９８に対して縮小または拡大してもよい。
【００６８】
また、画面情報生成部６６は、ステップＳ２で取得したクライアント端末の情報における入力デバイスの情報にキーボードが含まれない場合、ユーザによるキー入力を支援する。具体的には、画面情報生成部６６は、図８、図９の例のように、操作ボタン群１５０の中にソフトウェアキーボード起動用の操作ボタン１６２を配置する。この場合、画面情報生成部６６は、ソフトウェアキーボードのダイアログ（図示せず）の表示位置も、端末固有モードの画像表示領域９８の外にする（例えば図９におけるダイアログ１８０と同じ領域にする）。この後、ステップＳ９に進む。
【００６９】
［ステップＳ９］画面情報生成部６６は、送信要求に対応する画像データや、ステップＳ７で生成した組み換え表示モードでの画面構成データ等を情報送信部６７に伝達し、情報送信部６７は、これらの伝達された情報をモバイル超音波診断装置４０のリモート接続部４３に送信する。この後、ステップＳ１０に進む。
【００７０】
［ステップＳ１０］リモート接続部４３は、サーバ６０の情報送信部６７から送信される画像データや画面構成データ等を取得して、これを記憶部４７に格納する。そして、表示制御部４５は、ＣＰＵ４１の制御に従って、記憶部４７に格納された画像データや画面構成データ等を取得し、シンクライアントモードにおける組み換え表示モードの画面表示をモニタ４６で行う。
【００７１】
以上がシンクライアントシステム３０の動作の第１の例の説明である。通常表示モード、組み換え表示モードのどちらにするかの選択は、第１の例のようにリモート接続の受付後にサーバ６０が自動的に行ってもよいが、次の第２の例のように、ユーザの切り替え操作に基づいて切り替え可能にしてもよい。
【００７２】
図１１は、本実施形態のシンクライアントシステム３０の動作の第２の例を示すフローチャートである。第１の例との違いは、リモート接続後、初期的には通常表示モードでの表示を行うが、ユーザによる画面表示の切り替え操作の都度、通常表示モードまたは組み換え表示モードに切り替える点である。以下、図１１に示すステップ番号に従って、前述の図４〜図１０を適宜参照しながらシンクライアントシステム３０の動作を説明する。
【００７３】
［ステップＳ２１〜Ｓ２７］図１０のステップＳ１〜Ｓ７の処理とそれぞれ同様であるため、重複する説明を省略する。即ち、ステップＳ２４の判定においてタッチパネル式でなければ、モニタ４６への入力操作による汚れは生じず、組み換え表示モードにする必要性はないため、ここでは一例として通常表示モードにする。但し、ステップＳ２４の判定においてタッチパネル式でなかった場合でも、ステップＳ２５〜Ｓ２７において組み換え表示モードにしてもよい。
【００７４】
［ステップＳ２８］このステップに到達するのは、クライアント端末がタッチパネル式であると、ステップＳ２４においてサーバ６０のＣＰＵ６１（図４参照）が判定した場合である。ＣＰＵ６１は、通常表示モードの画面構成データの生成と、組み換え表示モードの画面構成データ生成とを画面情報生成部６６に指令する。両モードの画面構成データを予め生成しておくことで、シンクライアントモードにおける画面表示の切り替え指令があった場合に、画面表示を瞬間的に切り替えるためである。
【００７５】
画面情報生成部６６は、送信要求に対応する画像データを画像検索読込部６５から取得する。画面情報生成部６６は、図１０のステップＳ８と同様にして組み換え表示モードの画面構成データを生成すると共に、図１０のステップＳ５と同様にして通常表示モードの画面構成データを生成する。この後、ステップＳ２９に進む。
【００７６】
［ステップＳ２９］画面情報生成部６６は、送信要求に対応する画像データや、ステップＳ２８で生成した通常表示モードおよび組み換え表示モードの各画面構成データ等を情報送信部６６に伝達する。情報送信部６７は、これらの伝達されたデータをモバイル超音波診断装置４０のリモート接続部４３に送信する。この後、ステップＳ３０に進む。
【００７７】
［ステップＳ３０］リモート接続部４３は、情報送信部６７から送信される画像データや、通常表示モードおよび組み換え表示モードの各画面構成データ等を取得して、これらを記憶部４７に格納する。そして、表示制御部４５は、図１０のステップＳ７と同様にして通常表示モードの画面表示を行う。この後、ステップＳ３１に進む。
【００７８】
［ステップＳ３１］モニタ４６上において、表示切り替え用の操作ボタン１６４（図６〜図９参照）が押された場合、モバイル超音波診断装置４０のＣＰＵ４１は、ステップＳ３２に処理を移行する。操作ボタン１６４が押されない場合、ＣＰＵ４１は、各部を制御して通常表示モードでの画面表示を継続させる。
【００７９】
［ステップＳ３２］ＣＰＵ４１は、モニタ４６から表示制御部４５を介して、操作ボタン１６４が押されたことを受け付ける。これに同期して、ＣＰＵ４１は、表示制御部４５に対し、組み換え表示モードでの画面表示を指令する。表示制御部４５は、ステップＳ３０で記憶部４７に格納された組み換え表示モードの画面構成データを取得し、図１０のステップＳ１０と同様にして組み換え表示モードの画面表示をモニタ４６で行う。この後、ステップＳ３３に進む。
【００８０】
［ステップＳ３３］モニタ４６上において、操作ボタン１６４が押された場合、ＣＰＵ４１は、ステップＳ３４に処理を移行する。操作ボタン１６４が押されない場合、ＣＰＵ４１は、各部を制御して組み換え表示モードでの画面表示を継続させる。
【００８１】
［ステップＳ３４］表示制御部４５は、画面表示を切り換え、前述と同様にして通常表示モードの画面表示を行う。この後、ステップＳ３１に戻る。即ち、シンクライアントモードが解除されるまで、以上のステップＳ３１〜Ｓ３４のループによって、組み換え表示モードまたは通常表示モードの表示の切り替えが可能にされる。以上がシンクライアントシステム３０の動作の第２の例の説明である。
【００８２】
このように本実施形態では、クライアント端末がタッチパネル式である場合、操作ボタン群１５０やダイアログ１８０などの入力操作に関わる要素を、モニタ４６における端末固有モードの画像表示領域９８の外に配置する。このため、モニタ４６における端末固有モードの画像表示領域９８内に対して、ユーザの入力操作のタッチがなされることは、防止される。従って、モニタ４６へのタッチ操作によるモニタ４６の汚れによって表示画像が見づらくなることを防止できる。この結果、診断の効率化に寄与することができる。
【００８３】
（本実施形態の補足事項）
［１］端末固有モードの画像表示領域９８が長方形であるとして、その４つの頂点の座標で画像表示領域の位置情報を伝達する例を述べた。本発明は、かかる実施形態に限定されるものではない。例えば、端末固有モードの画像表示領域が６角形などの多角形の場合、その全頂点の座標によって画像表示領域の位置情報を伝達すればよい。
【００８４】
［２］画像表示領域の情報について、座標位置で伝達する例を述べた。本発明は、かかる実施形態に限定されるものではない。画像表示領域の一頂点を画面の右上の角に合致させる等の複数の表示パターンを予め定めておき、それらの内のどのパターンであるかをサーバに送信する形態であってもよい。
【００８５】
［３］請求項の用語と実施形態との対応関係を説明する。なお、以下に示す対応関係は、あくまで参考のために示した一解釈にすぎず、本発明を限定するものではない。
シンクライアントモードは、請求項記載の通信モードの一例である。
【００８６】
端末固有モードにおける画像表示領域に関する位置情報などのクライアント端末の情報を送信するリモート接続部４３の機能は、請求項記載の端末情報送信部の一例である。
【００８７】
画面情報生成部６６が生成する通常表示モードおよび組み換え表示モードでの各画面構成データは、請求項記載の画面情報の一例である。
【００８８】
上記画面構成データを受信して記憶部４７に格納するリモート接続部４３の機能、上記画面構成データに従ってモニタ４６での画面表示を行う表示制御部４５の機能、この画面表示を指令するＣＰＵ４１の機能は、請求項記載の受信情報表示部の一例である。
【００８９】
組み換え表示モードでの画面構成データを生成するサーバ６０の画面情報生成部６６の機能は、請求項記載の画面情報生成部の一例である。
【００９０】
組み換え表示モードでの画面構成データを取得してクライアント端末に送信するサーバ６０の情報送信部６７の機能は、請求項記載の画面情報送信部の一例である。
【００９１】
端末固有モードにおけるモニタでの画像表示領域情報を含むクライアント端末の情報を取得するリモート接続受付部６８の機能は、請求項記載の取得部の一例である。
【００９２】
［４］本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００９３】
２  モニタ
４ａ、４ｂ  画像表示領域
６ａ、６ｂ  操作ボタン表示領域
１４  操作ダイアログ
３０  シンクライアントシステム
４０  モバイル超音波診断装置
４１  ＣＰＵ
４２  システムバス
４３  リモート接続部
４４  操作受付部
４５  表示制御部
４６  モニタ
４７  記憶部
４８  超音波診断機構
６０  サーバ
６１  ＣＰＵ
６２  システムバス
６３  表示部
６４  画像データ保管部
６５  画像検索読込部
６６  画面情報生成部
６７  情報送信部
６８  リモート接続受付部
６９  入力装置
９８  画像表示領域
９９、１００  操作ボタン群
１０１〜１２２  操作ボタン
１４８ａ、１４８ｂ  画像表示領域
１５０  操作ボタン群
１５１〜１６４  操作ボタン
１７０  表示窓
１８０  ダイアログ
１８１〜１８７  操作ボタン
【図１】
0005487063.tif 000002
【図２】
0005487063.tif 000003
【図３】
0005487063.tif 000004
【図４】
0005487063.tif 000005
【図５】
0005487063.tif 000006
【図１０】
0005487063.tif 000007
【図１１】
0005487063.tif 000008
【図６】
0005487063.tif 000009
【図７】
0005487063.tif 000010
【図８】
0005487063.tif 000011
【図９】
0005487063.tif 000012